(57)【要約】  減圧治療システムは、ユーザの足の下方に配置可能で、膨張位置と圧縮位置との間で可動な圧縮性チャンバを含む。圧縮性チャンバは入口および出口を有する。入口弁は、圧縮性チャンバ内の流体が入口から流出するのを阻止するために入口と連通し、出口弁は、流体が出口を通じて圧縮性チャンバに流入するのを阻止するために出口と連通する。付勢手段は、圧縮性チャンバを膨張位置に向けて付勢するために圧縮性チャンバ内に配置され、マニホールドは、組織部位に配置可能で、圧縮性チャンバの入口と連通する。【選択図】図１
2011514832.tif 000002
【特許請求の範囲】
【請求項１】
減圧治療システムであって、
ユーザの足の下方に配置される圧縮性ブラダーであって、チャンバ壁に実質的に包囲されたチャンバを有するとともに、減圧を生成するために、膨張位置と圧縮位置との間で動作可能な圧縮性ブラダーと、
前記圧縮性ブラダーを前記膨張位置に向けて付勢するために前記チャンバ壁と動作可能に関連する弾性部材と、
前記ユーザの組織部位に配置されて、前記圧縮性ブラダーの前記チャンバと連通するマニホールドとを備えることを特徴とするシステム。
【請求項２】
請求項１に記載のシステムにおいて、前記組織部位からの滲出液を収集するために、前記チャンバと前記マニホールドとの間に流体流通可能に連結されるキャニスタをさらに備えることを特徴とするシステム。
【請求項３】
請求項１に記載のシステムにおいて、前記組織部位に送達される前記減圧を調整するために、前記チャンバと前記マニホールドとの間に流体流通可能に連結される圧力調整器をさらに備えることを特徴とするシステム。
【請求項４】
請求項１に記載のシステムにおいて、前記圧縮性ブラダーが、前記膨張位置に向けて膨張するときに、前記チャンバ内で前記減圧を生成することを特徴とするシステム。
【請求項５】
請求項１に記載のシステムにおいて、前記付勢部材が前記チャンバ内に配置されることを特徴とするシステム。
【請求項６】
請求項１に記載のシステムにおいて、前記付勢部材が連続気泡発泡体であることを特徴とするシステム。
【請求項７】
請求項１に記載のシステムにおいて、前記付勢部材が前記チャンバの外部に配置されることを特徴とするシステム。
【請求項８】
請求項１に記載のシステムにおいて、
前記ユーザの前記足の下方に配置される第２圧縮性ブラダーであって、第２チャンバ壁に実質的に包囲された第２チャンバを有するとともに、第２の減圧を生成するために、膨張位置と圧縮位置との間で動作可能な第２圧縮性ブラダーと、
前記第２圧縮性ブラダーを前記膨張位置に向けて付勢するために前記第２チャンバ壁と動作可能に関連する第２付勢部材とをさらに備え、
前記第２圧縮性ブラダーの前記第２チャンバが前記マニホールドと連通し、
第１圧縮性ブラダーが前記足の前側部分の下方に位置し、前記第２圧縮性ブラダーが前記足の踵部分の下方に位置することを特徴とするシステム。
【請求項９】
減圧治療システムであって、
ユーザの足の下方に配置可能な圧縮性チャンバであって、膨張位置と圧縮位置との間で動作することができ、かつ入口および出口を有する圧縮性チャンバと、
前記圧縮性チャンバ内の流体が前記入口から流出するのを阻止するために、前記入口と連通する入口弁と、
流体が前記出口を通じて前記圧縮性チャンバに流入するのを阻止するために、前記出口と連通する出口弁と、
前記圧縮性チャンバを前記膨張位置に向けて付勢するために前記圧縮性チャンバ内に配置される付勢手段と、
組織部位に配置可能であって、前記圧縮性チャンバの前記入口と連通するマニホールドとを備えることを特徴とするシステム。
【請求項１０】
請求項９に記載のシステムにおいて、前記組織部位からの滲出液を収集するために、前記圧縮性チャンバの前記入口と前記マニホールドとの間に流体流通可能に連結されるキャニスタをさらに備えることを特徴とするシステム。
【請求項１１】
請求項９に記載のシステムにおいて、前記組織部位に送達される減圧を調整するために、前記圧縮性チャンバの前記入口と前記マニホールドとの間に流体流通可能に連結される圧力調整器をさらに備えることを特徴とするシステム。
【請求項１２】
請求項９に記載のシステムにおいて、前記圧縮性チャンバがブラダーであることを特徴とするシステム。
【請求項１３】
請求項９に記載のシステムにおいて、前記圧縮性チャンバが、前記膨張位置に向けて膨張するときに、減圧を生成することを特徴とするシステム。
【請求項１４】
請求項９に記載のシステムにおいて、前記付勢部材が連続気泡発泡体であることを特徴とするシステム。
【請求項１５】
請求項９に記載のシステムにおいて、
前記ユーザの前記足の下方に配置可能な第２圧縮性チャンバであって、膨張位置と圧縮位置との間で動作することができ、かつ第２入口および第２出口を有する第２圧縮性チャンバと、
前記第２圧縮性チャンバ内の流体が前記第２入口から流出するのを阻止するために、前記第２入口と連通する第２入口弁と、
流体が前記第２出口を通じて前記第２圧縮性チャンバに流入するのを阻止するために、前記第２出口と連通する第２出口弁と、
前記第２圧縮性チャンバを前記膨張位置に向けて付勢するために前記第２圧縮性チャンバ内に配置される第２付勢手段とをさらに備え、
前記第２圧縮性チャンバが前記マニホールドと連通し、
第１圧縮性チャンバが前記足の前側部分の下方に位置し、前記第２圧縮性チャンバが前記足の踵部分の下方に位置することを特徴とするシステム。
【請求項１６】
減圧治療システムであって、
ユーザの足の下方に配置可能な圧縮性ブラダーであって、チャンバを有するとともに、膨張位置と圧縮位置との間で動作可能な圧縮性ブラダーと、
前記圧縮性ブラダーを前記膨張位置に向けて付勢するために前記チャンバ内に配置される付勢部材と、
第１可変容量キャビティおよび第２可変容量キャビティを有し、前記第１可変容量キャビティが前記圧縮性ブラダーの前記チャンバに流体流通可能に連結される圧力調整器と、
組織部位に配置可能であって、前記圧力調整器の前記第２可変容量キャビティと連通するマニホールドとを備えることを特徴とするシステム。
【請求項１７】
請求項１６に記載のシステムにおいて、前記第１可変容量キャビティが、前記チャンバから正に加圧された空気を受け取ったときに、膨張するように構成されていることを特徴とするシステム。
【請求項１８】
請求項１６に記載のシステムにおいて、前記第１可変容量キャビティが膨張したときに、前記第２可変容量キャビティが膨張して減圧を生成するように構成されていることを特徴とするシステム。
【請求項１９】
請求項１６に記載のシステムにおいて、前記第１可変容量キャビティが、前記チャンバから正に加圧された空気を受け取ったときに、膨張するように構成されるとともに、前記第１可変容量キャビティが膨張したときに、前記第２可変容量キャビティが膨張して減圧を生成するように構成されていることを特徴とするシステム。
【請求項２０】
請求項１６に記載のシステムにおいて、前記圧力調整器が蛇腹装置を含むことを特徴とするシステム。
【請求項２１】
請求項１６に記載のシステムにおいて、前記チャンバが入口および出口を含み、前記システムがさらに、前記チャンバから流出する流体が前記入口を通過するのを阻止するために、前記入口と連通する入口弁と、流体が前記出口を通じて前記チャンバに流入するのを阻止するために、前記出口と連通する出口弁とを備えることを特徴とするシステム。
【請求項２２】
請求項１６に記載のシステムにおいて、前記組織部位からの滲出液を収集するために、前記第２可変容量キャビティと前記マニホールドとの間に流体流通可能に連結されるキャニスタをさらに備えることを特徴とするシステム。
【請求項２３】
請求項１６に記載のシステムにおいて、前記付勢部材が連続気泡発泡体であることを特徴とするシステム。
【請求項２４】
請求項１６に記載のシステムにおいて、
前記ユーザの前記足の下方に配置可能な第２圧縮性ブラダーであって、第２チャンバを有するとともに、膨張位置と圧縮位置との間で可動な第２圧縮性ブラダーと、
前記第２圧縮性ブラダーを前記膨張位置に向けて付勢するために前記第２チャンバ内に配置される第２付勢部材とをさらに備え、
前記第２圧縮性ブラダーの前記第２チャンバが前記第１可変容量キャビティと連通し、
第１圧縮性ブラダーが前記足の前側部分の下方に位置し、前記第２圧縮性ブラダーが前記足の踵部分の下方に位置することを特徴とするシステム。
【請求項２５】
ユーザにより使用される減圧組織治療システムに減圧を提供するための方法であって、
前記ユーザの足で圧縮性ブラダーを圧縮するステップと、
前記圧縮性ブラダーが膨張するときに、前記圧縮性ブラダーのチャンバ内に前記減圧を生成するステップとを備えることを特徴とする方法。
【請求項２６】
請求項２５に記載の方法において、
前記ユーザの前記足で第２圧縮性ブラダーを圧縮するステップと、
前記第２圧縮性ブラダーが膨張するときに、前記第２圧縮性ブラダーの第２チャンバ内に第２の減圧を生成するステップとをさらに備えることを特徴とする方法。
【請求項２７】
請求項２６に記載の方法において、前記ユーザが前記足の前側部分に重量をかけたときに前記第１圧縮性ブラダーが圧縮され、前記ユーザが前記足の踵部分に重量をかけたときに前記第２圧縮性ブラダーが圧縮されることを特徴とする方法。
【発明の詳細な説明】
【技術分野】
【０００１】
本出願は、一般に、組織治療システムに関し、特に、減圧をかけるためのシステムおよび方法に関するものである。
【０００２】
本出願は、２００８年３月１３日に出願された米国仮出願第６１／０３６，３９１号の利益を主張するものであり、この米国仮出願は、引用により本明細書に援用されるものである。
【背景技術】
【０００３】
臨床研究および実践は、組織部位の近傍に減圧を付与することが組織部位における新たな組織の成長を拡大および促進することを示している。この現象の応用は多数あるが、減圧の適用は、創傷の治療において特に成果を上げている。この治療（医学界では、“負圧創傷療法”、“減圧療法”あるいは“吸引療法”としばしば呼ばれる。）は、多くの恩恵を与え、その中には、より速い治癒および肉芽組織形成の増加が含まれる。一般的には、多孔質パッドまたはその他のマニホールド装置を介して組織に減圧が与えられる。多孔質パッドは、減圧を組織に分配するとともに、組織から引き出した流体を導くことができる気泡または気孔を含んでいる。多孔質パッドは、多くの場合、治療を促進するその他の構成要素を有するドレッシング内に組み込まれる。
【０００４】
減圧治療システムは、組織部位に送達される減圧を生成する動力ポンプのような減圧源を含むことができる。しかしながら、そのような減圧源は場所を取り、ユーザにとって邪魔になることが多く、足治療システムと併せて使用するように適合させるのは容易ではない。
【発明の概要】
【０００５】
既存の減圧治療システムに存在する問題点は、本明細書に記載の例示的な実施形態のシステムおよび方法によって解決される。例示的な一実施形態においては、減圧治療システムが、ユーザの足の下方に配置される圧縮性ブラダー（空気袋）を含む。この圧縮性ブラダーは、チャンバ壁に実質的に包囲されたチャンバを含むとともに、減圧を生成するために、膨張位置と圧縮位置との間で可動となっている。弾性部材は、圧縮性ブラダーを膨張位置に向けて付勢するために、チャンバ壁と動作可能に関連している。マニホールドは、ユーザの組織部位に配置されて、圧縮性ブラダーのチャンバと連通する。
【０００６】
別の実施形態においては、減圧治療システムが提供される。この減圧治療システムは、ユーザの足の下方に配置可能であって、膨張位置と圧縮位置との間で動作することができる圧縮性チャンバを含む。この圧縮性チャンバは、入口および出口を有する。入口弁は、圧縮性チャンバ内の流体が入口から流出するのを阻止するために、入口と連通し、出口弁は、流体が出口を通じて圧縮性チャンバに流入するのを阻止するために、出口と連通する。付勢手段は、圧縮性チャンバを膨張位置に向けて付勢するために圧縮性チャンバ内に配置され、マニホールドは、組織部位に配置可能であり、圧縮性チャンバの入口と連通する。
【０００７】
さらに別の実施形態においては、減圧治療システムが提供され、この減圧治療システムが、ユーザの足の下方に配置可能な圧縮性ブラダーを含む。この圧縮性ブラダーは、チャンバを含み、膨張位置と圧縮位置との間で動作することができる。上記システムは、圧縮性ブラダーを膨張位置に向けて付勢するためにチャンバ内に配置される付勢部材をさらに含む。第１可変容量キャビティおよび第２可変容量キャビティを有する圧力調整器が提供される。第１可変容量キャビティは、圧縮性ブラダーのチャンバに流体流通可能に連結され、マニホールドは、組織部位に配置可能であって、圧力調整器の第２可変容量キャビティと連通する。
【０００８】
さらに別の実施形態においては、ユーザにより使用される減圧組織治療システムに減圧を提供するための方法が提供される。この方法は、ユーザの足で圧縮性ブラダーを圧縮するステップと、圧縮性ブラダーが膨張するときに、圧縮性ブラダーのチャンバ内に減圧を生成するステップとを含む。
【０００９】
例示的な実施形態のその他の目的、特徴および利点は、以下の図面および詳細な説明を参照することによって明らかとなるであろう。
【図面の簡単な説明】
【００１０】
【図１】図１は、例示的な実施形態に係る圧縮性ブラダーシステムを有する減圧治療システムの概略を示している。
【図２】図２は、図１の圧縮性ブラダーシステムの斜視図を示している。
【図３】図３Ａは、図２の３−３線に沿う圧縮性ブラダーシステムの側断面図を示すもので、当該ブラダーシステムが膨張状態で示されている。図３Ｂは、図２の３−３線に沿う圧縮性ブラダーシステムの側断面図を示すもので、当該ブラダーシステムが圧縮状態で示されている。
【図４】図４は、例示的な実施形態に係る圧縮性ブラダーシステムおよび圧力調整器の概略を示している。
【図５】図５は、例示的な実施形態に係る圧縮性ブラダーシステムを有する矯正用の履き物を示している。
【発明を実施するための形態】
【００１１】
以下の幾つかの例示的な実施形態の詳細な説明においては、その一部を構成する添付図面に対して参照がなされ、その図面においては、本発明が実施される具体的な好ましい実施形態が例示を目的に示されている。それらの実施形態は、当業者が本発明を実施できる程度に十分詳細に記載されており、また、その他の実施形態が利用可能であるとともに、本発明の趣旨および範囲を逸脱しない範囲で、論理構造的、機械的、電気的および化学的な変更が可能であることを理解されたい。本明細書に記載の実施形態を当業者が実施可能とするのに必要のない細部説明を避けるために、当業者に既知の一部の情報を説明から省略する可能性がある。したがって、以下の詳細な説明は、限定の意味で捉えるべきではなく、例示的な実施形態の範囲は、添付の特許請求の範囲によってのみ定義される。
【００１２】
用語“ｒｅｄｕｃｅｄ  ｐｒｅｓｓｕｒｅ（減圧）”は、本明細書で使用されているように、概して、治療を受ける組織部位の周囲圧力未満の圧力のことをいう。多くの場合、この減圧は、患者がいる位置の大気圧未満となるであろう。若しくは、減圧は、組織部位における組織に付随する静水圧未満であってもよい。“真空”および“負圧”といった用語が組織に加えられる減圧を説明するのに使用されるかもしれないが、組織部位に加えられる実際の減圧は、完全真空に通常付随する圧力よりも遙かに低くなる可能性がある。減圧は最初に、チューブと組織部位の領域内に流体の流れを生成する可能性がある。組織部位周囲の静水圧が所望の減圧に接近したとき、流体の流れが弱まり、その後、減圧が維持される。特に表示がなければ、本明細書で述べる圧力の値は、ゲージ圧である。同様に、減圧の増加に対する言及は、一般的には絶対圧の低下のことを指し、一方、減圧の低下は、一般的には絶対圧の増加のことを指している。
【００１３】
用語“ｔｉｓｓｕｅ  ｓｉｔｅ（組織部位）”は、本明細書で使用されているように、任意の組織上または組織内の創傷または異常のことをいい、それには、骨組織、脂肪組織、筋組織、神経組織、皮膚組織、血管組織、結合組織、軟骨、腱または靱帯が含まれるが、それらに限定されるものではない。用語“ｔｉｓｓｕｅ  ｓｉｔｅ（組織部位）”は、さらに、必ずしも創傷または異常の無い任意の組織の領域であって、追加的な組織の成長を追加または促進することが望ましい代わりの領域のことをいうものであってもよい。例えば、減圧組織治療は、採取して別の組織位置に移植する追加的組織を成長させるために、ある特定の組織領域に使用されるものであってもよい。
【００１４】
図１を参照すると、例示的な実施形態に係る減圧治療システム１００は、患者の組織部位１０８に配置された減圧ドレッシング１０４を含んでいる。減圧ドレッシング１０４は、減圧源１３４によって供給される減圧を分配するために組織部位１０８に隣接または接触して配置される分配マニホールド１２２を含むことができる。分配マニホールド１２２は、組織部位１０８に減圧を分配することができる、生体吸収性または非生体吸収性の任意の材料とすることができる。一実施形態では、分配マニホールド１２２が、多孔質発泡体であり、流路として機能する複数の相互に接続された気泡または細孔を含む。多孔質発泡体は、テキサス州サンアントニオ所在のＫｉｎｅｔｉｃ  Ｃｏｎｃｅｐｔｓ，Ｉｎｃ．により製造されるＧｒａｎｕＦｏａｍ（登録商標）ドレッシングのような、ポリウレタンの連続気泡構造の網状発泡体とすることができる。連続気泡発泡体が使用される場合、気孔率および細孔径が変化する可能性があるが、一実施形態においては、連続気泡発泡体に付随する細孔径は約４００乃至６００ミクロンである。流路は、連続気泡を有する分配マニホールド１２２の部分の全体にわたって流体流通を可能にする。細孔および流路は、形状と寸法が均一であってもよいし、形状と寸法にパターン化されたまたはランダムなバラツキがあってもよい。マニホールドの細孔の形状および寸法のバラツキは流路のバラツキをもたらし、そのような特性は、分配マニホールド１２２を通る流体の流量特性を変えるために使用することができる。
【００１５】
また、分配マニホールド１２２は、減圧治療システム１００の使用後に患者の体から取り除く必要のない生体吸収性材料から構成することもできる。適当な生体吸収性材料には、ポリ乳酸（ＰＬＡ）およびポリグリコール酸（ＰＧＡ）のポリマーブレンドを含むことができるが、それに限定されるものではない。また、ポリマーブレンドには、ポリカーボネート、ポリフマル酸エステル、ポリヒドロキシブタレート（ｐｏｌｙｈｙｄｒｏｘｙｂｕｔａｒａｔｅｓ）、ポリヒドロキシ吉草酸、多糖、ポリアミノ酸およびカプララクトンを含むことができるが、それらに限定されるものではない。さらに、分配マニホールド１２２は、新しい細胞成長のための足場としての機能を果たすことができ、あるいは、足場材料は、細胞成長を促進するために分配マニホールド１２２とともに使用することができる。足場は、細胞の成長または組織の形成を増進または促進するのに使用される、細胞成長のためのテンプレートを提供する三次元多孔質構造のような物質または構造体である。足場材料の実施例には、リン酸カルシウム、コラーゲン、ＰＬＡ／ＰＧＡ、珊瑚のヒドロキシアパタイト、炭酸塩または同種移植処理材料が含まれる。一実施例においては、足場材料が高いボイド率（すなわち、高い空気含量）を有している。
【００１６】
分配マニホールド１２２は、管路１１２によって減圧源１３４に流体流通可能に接続される。管路１１２は、分配マニホールド１２２に隣接して配置されるチューブアダプタ１１８を通じて、分配マニホールド１２２との間で流体が流通可能となっている。ドレープ１２８は、組織部位１０８における減圧を維持するために、分配マニホールド１２２の上に置いて、組織部位１０８の外縁の周囲で密封することができる。
【００１７】
図１に示す実施形態においては、減圧源１３４が、組織部位に減圧を提供するためにユーザによって手動で作動される圧縮性ブラダーシステム（ｂｌａｄｄｅｒ  ｓｙｓｔｅｍ）１３８となっている。以下に、図２および図３を参照して、圧縮性ブラダーシステム１３８をより詳細に説明する。減圧ドレッシング１０４および組織部位１０８への減圧の送達により、組織部位１０８からの滲出液の排水を維持し、組織部位１０８を囲む組織への血流を増加させ、組織部位１０８でマイクロストレイン（ｍｉｃｒｏｓｔｒａｉｎ）を形成することにより、新しい組織の成長が促進される。
【００１８】
引き続き図１を参照すると、キャニスタ１４２は、組織部位１０８から引き出された滲出液およびその他の流体を回収するために、減圧源１３４と組織部位１０８との間に流体流通可能に接続することができる。キャニスタ１４２は、管路１１２に流体流通可能に接続される入口と、減圧源１３４に流体流通可能に接続される出口とを含む。例えば、疎水性フィルターのような液体−空気セパレータ（図示省略）は、出口を介してキャニスタ１４２から液体が流出するのを防止するために、キャニスタ１４２の出口と動作可能に関連することができる。液体−空気セパレータは、滲出液およびその他の生物学上汚染された物質によって減圧源１３４が汚染されるのを防止する。キャニスタ１４２の代替として、あるいはキャニスタ１４２に加えて、減圧治療システム１００は、組織部位またはその近傍で滲出液およびその他の流体を貯蔵することができる追加のドレッシング要素を組織部位１０８に備えることができる。例えば、組織部位１０８に位置する減圧ドレッシング１０４は、分配マニホールド１２２に加えて、減圧ドレッシング１０４内に液体の貯蔵を可能にする１またはそれ以上の吸収材層を含むことができる。そのようなドレッシングの液体の貯蔵能力は、キャニスタ１４２の代わりに、またはキャニスタ１４２に加えて使用することができる。
【００１９】
圧力調整器１４８は、キャニスタ１４２および組織部位１０８に送達される圧力の量を調整および制御するために、圧縮性ブラダーシステム１３８とキャニスタ１４２との間に流体流通可能に接続することができる。圧力調整器は、減圧または正圧を調整または制御することができる任意のデバイスとすることができる。一実施形態においては、圧力調整器１４８が、組織部位１０８に送達される減圧が閾値を超過しないようにするために、提供される。換言すれば、圧力調整器は、組織部位１０８に供給される絶対圧が低くなり過ぎないようにする。通気口（図示省略）は、必要よりも多くの減圧が圧縮性ブラダーシステム１３８によって提供される場合に、圧力調整器内の絶対圧を上げるために、圧力調整器１４８に付随させることができる。通気口は、圧力調整器１４８内の絶対圧が予め設定された値未満に低下するときに、圧力調整器内に外気が流入するのを許容することにより、機能することができる。
【００２０】
キャニスタ１４２および圧力調整器１４８に加えて、減圧治療システム１００は、センサ、演算処理装置、警報インジケータ、メモリ、データベース、ソフトウェア、表示装置、および組織部位１０８への減圧治療の適用をより容易にするユーザインターフェースも含むことができる。一実施例においては、センサ（図示省略）が、減圧源１３４によって生成される元の圧力を測定するために、減圧源１３４またはその近傍に配置することができる。センサは、減圧源１３４によって送達される減圧を監視および制御する演算処理装置と通信することができる。
【００２１】
図２、図３Ａおよび図３Ｂを参照すると、圧縮性ブラダーシステム１３８は、一対の圧縮性ブラダー２１０を含んでいる。各圧縮性ブラダー２１０は、チャンバ２１８を実質的に囲むチャンバ壁２１４を含む。圧縮性ブラダー２１０は、膨張位置（図３Ａを参照）と圧縮位置（図３Ｂを参照）との間で作動することができる。付勢部材２２４または弾力部材は、圧縮性ブラダー２１０を膨張位置へと付勢するために、チャンバ２１８内に配置されている。一実施形態では、付勢部材２２４は、例えば、分配マニホールド１２２とともに使用されるものと類似の網状のポリウレタンフォームのような連続気泡発泡体である。別の実施形態では、付勢部材は、バネ、スポンジ、あるいは圧縮性ブラダー２１０の圧縮に続いて、膨張位置に圧縮性ブラダー２１０を戻すことができるその他の任意の種類の弾性材料または構造体とすることができる。さらに別の実施形態では、付勢部材２２４は、チャンバ２１８の外部に配置することができ、その場合も、圧縮性ブラダー２１０を膨張位置へと促す付勢効果を有している。例えば、付勢部材２２４は、チャンバ壁２１４に接着、溶着あるいはそれ以外の固着または一体化されて、チャンバ壁２１４を膨張位置へと弾性復帰させる弾性材料を含むことができる。一実施形態では、付勢部材２２４は、追加の構造体、構成要素または材料のないチャンバ壁２１４を含むことができる。より具体的に、チャンバ壁２１４が十分に弾性的な材料から作られる場合には、チャンバ壁２１４が、圧縮力が取り除かれた後に、圧縮性ブラダー２１０を膨張位置に戻そうとすると考えられる。
【００２２】
各圧縮性ブラダー２１０のチャンバ２１８は、入口２３０および出口２３４を含む。入口弁２４０は、チャンバ２１８から流出する流体が入口２３０を通過するのを防ぐために、入口２３０と連通している。出口弁２４４は、流体が出口２３４を通じてチャンバ２１８内に入るのを防ぐために、出口２３４と連通している。図２に示されるように、入口弁２４０および出口弁２４４は、入口２３０および出口２３４に流体流通可能に連結された管路上にそれぞれ配置することができる。代替的には、入口弁２４０および出口弁２４４は、圧縮性ブラダー２１０の入口および出口ポートにより直接的に付随するものであっても、あるいはそれらポート内に配置されるものであってもよい。入口弁２４０および出口弁２４４は、流体流通を選択的に阻止または防止する特定の種類のバルブであってよいが、一実施形態においては、それら弁２４０および２４４を、一方向の流体流通を許容するが別方向の流体流通を阻止する逆止め弁のような一方向弁とすることができる。圧縮性ブラダー２１０とともに使用することができる逆止め弁の一例は、チャンバ壁２１４の開口部上に配置されるフラッパを含むフラッパタイプの弁である。開口部の一方の側における流体圧力が高まると、フラッパが開放位置に移動して、開口部を通じた流体流通を許容する。開口部の他方の側における流体圧力が上昇すると、フラッパが開口部に対して移動して、流体流通を阻止する。
【００２３】
さらに、図２、図３Ａおよび図３Ｂに加えて、図１も参照すると、操作中、圧縮性ブラダー２１０はユーザの足３１０の下方に位置する。一方の圧縮性ブラダー２１０は、足３１０の踵部分３１４の下方に位置することが好ましく、別の圧縮性ブラダー２１０は、足３１０の前側部分３１８の下方に位置することが好ましい。ユーザの重量がどちらかの圧縮性ブラダー２１０に加わると、その圧縮性ブラダー２１０が、圧縮位置（図３Ｂを参照）へと圧縮され、チャンバ２１８内の気体（例えば、空気）が、出口２３４および出口弁２４４を通って放出される。チャンバ２１８から放出される気体は、入口弁２４０の存在により、入口２３０から出るのを阻止される。圧縮されていた圧縮性ブラダー２１０からユーザの重量が取り除かれると、圧縮性ブラダー２１０が、膨張位置へと動き始める。圧縮性ブラダー２１０の膨張位置への動作は、付勢部材２２４によって補助される。圧縮性ブラダー２１０が膨張するに連れて、チャンバ２１８の容積が増大し、それにより、圧縮性ブラダー２１０を囲む大気圧と比較して、チャンバ２１８内に減圧を生成する。チャンバ２１８内のこの減圧は、入口弁２４０および入口２３０を通じてチャンバ２１８内に流体を引き込む。流体は、出口弁２４４の存在により、出口２３４を通じてチャンバ２１８内に流入することが妨げられる。膨張中に圧縮性ブラダー２１０によって生成された減圧は、圧縮性ブラダー２１０の入口２３０にマニホールド１２２を流体流通可能に連結することにより、分配マニホールド１２２に伝達することができる。
【００２４】
ユーザが踵部分３１４、その後に前側部分３１８に周期的に重量を加えるときに、足３１０の踵部分３１４および前側部分３１８の下方の圧縮性ブラダー２１０の位置決めを行うことにより、減圧のより安定した供給が可能になる。重量配分のそのようなレジメンは、通常のウォーキングまたはランニング動作と一致しており、圧縮性ブラダーシステム１３８は、ユーザがウォーキングまたはランニングしながら、減圧を生成するのに特に適している。ユーザが踵部分３１４に重量を分配するとき、踵部分３１４下方の圧縮性ブラダー２１０が圧縮位置へと圧縮する。ユーザの重量が前側部分３１８に移ると、前側部分３１８下方の圧縮性ブラダー２１０が圧縮位置へと圧縮する。前側部分３１８への体重移動は、踵部分３１４近傍における圧縮性ブラダー２１０上の圧縮力を取り除き、それにより、踵部分３１４下方の圧縮性ブラダー２１０が膨張して減圧を生成するのが可能になる。ユーザの重量が踵部分３１４に戻ると、前側部分３１８の下方の圧縮性ブラダー２１０が膨張して減圧を生成する。ユーザがウォーキングを継続している間、このサイクルが継続し、それにより、減圧の生成が可能になる。
【００２５】
図４を参照すると、圧縮性ブラダーシステム１３８に類似の圧縮性ブラダーシステム４０８が図示されている。圧縮性ブラダーシステム１３８は、一対の圧縮性ブラダー４１０を含む。各圧縮性ブラダー４１０は、チャンバ４１８を実質的に包囲するチャンバ壁４１４を含む。圧縮性ブラダー４１０は、図３Ａおよび図３Ｂを参照して上述したものと同様に、膨張位置と圧縮位置との間で可動となっている。付勢部材または弾力部材（図示省略）は、圧縮性ブラダー４１０を膨張位置に向けて付勢するために、チャンバ４１８内に配置されている。付勢部材は、前述した付勢部材２２４と構造および機能が類似している。
【００２６】
各圧縮性ブラダー４１０のチャンバ４１８は、入口４３０および出口４３４を含む。入口弁４４０は、チャンバ４１８から流出する流体が入口４３０を通過するのを防ぐために、入口４３０と連通している。出口弁４４４は、流体が出口４３４を通じてチャンバ４１８内に入るのを防ぐために、出口４３４と連通している。図４に示されるように、入口弁４４０および出口弁４４４は、入口４３０および出口４３４に流体流通可能に連結された管路上にそれぞれ配置することができる。代替的には、入口弁４４０および出口弁４４４は、圧縮性ブラダー４１０の入口および出口ポートにより直接的に付随するものであっても、あるいはそれらポート内に配置されるものであってもよい。入口弁４４０および出口弁４４４は、本明細書内で前述した弁と構造および機能が類似している。
【００２７】
図４に示す実施形態では、圧縮性ブラダーシステム４０８が、第１可変容量キャビティ４６４および第２可変容量キャビティ４６８を有する圧力調整器４６０を含む。一実施形態においては、キャビティ４６０，４６８が、共通のピストン壁４７２を共有し、このピストン壁が、キャビティ４６０，４６８に付随する容量を変えるべく、後退位置（図示省略）と伸張位置（図４を参照）との間で動作可能となっている。キャビティ４６０，４６８は、流体が流通しないように、仕切板４７６によって互いに分離されている。例示的な一実施形態では、仕切板４７６を、十分に弾性的な材料から形成される蛇腹とすることができる。
【００２８】
キャビティ４６０，４６８の各々は、ピストン壁４７２が後退位置に移動するときに、キャビティ４６０，４６８内の空気またはその他の気体がキャビティ４６０，４６８から追い出されるように、出口（図示省略）および一方向弁（図示省略）を含む。ユーザは、ピストン壁に圧縮力をかけることにより、後退位置にピストン壁４７２を配置することができる。
【００２９】
各圧縮性ブラダー４１０の出口４３４は、第１可変容量キャビティ４６４に流体流通可能に連結される。ピストン壁４７２が後退位置に位置しているときは、出口４３４からの正の圧力がかけられた気体が、伸張位置（図４を参照）に向けてピストン壁４７２を付勢することができる。ピストン壁４７２が伸張位置に向けて移動するに連れて、第２可変容量キャビティ４６８の容積が増大し、それにより、第２可変容量キャビティ４６８内で減圧が生成される。第２可変容量キャビティ４６８の膨張中に圧縮性ブラダー４１０および圧力調整器４６０によって生成された減圧は、分配マニホールド１２２を圧力調整器４６０の第２可変容量キャビティ４６８に流体流通可能に連結することにより、分配マニホールド１２２に伝達することができる。
【００３０】
図５を参照すると、例示的な実施形態に係る減圧治療システム５００は、本明細書に記載の圧縮性ブラダーシステムの何れかと類似なものとすることができる圧縮性ブラダーシステム５１２を有する履き物５０８を含む。一実施形態では、圧縮性ブラダーシステム５１２が、圧力調整器５１６およびキャニスタ５２０に流体流通可能に連結されている。キャニスタ５２０は、組織部位５２８に位置する減圧ドレッシング５２４に流体流通可能に連結することができる。圧縮性ブラダーシステム５１２および／または圧力調整器５１６により生成される減圧は、減圧ドレッシング５２４を通じて組織部位５２８に送達される。減圧ドレッシングは、分配マニホールド（図示省略）を含むことが望ましい。組織部位５２８は、履き物５０８内で安定した足の側部に図示されているが、その代わりに、組織部位５２８は、足の足底部分または足または下肢のその他の任意の部分に位置するものであってもよい。若しくは、組織部位５２８は、身体のその他の部位に位置するものであってもよい。
【００３１】
履き物５０８は、オフロードするボート（ｏｆｆｌｏａｄｉｎｇ  ｂｏａｔ）、ギブス歩行者、神経病の歩行者、またはその他の任意の種類の矯正用または治療用の履き物であってもよい。履き物５０８は、糖尿病性足潰瘍およびその他の足関連の負傷および創傷を治療するために圧縮性ブラダーシステム５１２を装備しているときに、特によく適している。履き物５０８は、患者の足の損傷部位の圧力を取り除くように設計することができ、それにより、患者を歩行可能な状態のままとすることができる。患者が歩くと、前述したように圧縮性ブラダーシステム５１２が作動して減圧を生成する。この減圧は、減圧治療を通じた治癒を改善するために、患者の負傷または創傷に導くことができる。
【００３２】
ユーザによって使用される減圧組織治療システムに減圧を提供する方法が提供される。この方法は、ユーザの足で圧縮性ブラダーを圧縮するステップと、圧縮性ブラダーが膨張するときに、圧縮性ブラダーのチャンバ内で減圧を生成するステップとを含む。圧縮性ブラダーは、本明細書に記載した圧縮性ブラダーまたは圧縮性ブラダーシステムの何れかと類似するものであってもよい。一実施形態では、上記方法は、ユーザの足で第２圧縮性ブラダーを圧縮するステップと、第２圧縮性ブラダーが膨張するときに、第２圧縮性ブラダーの第２チャンバ内で第２の減圧を生成するステップとを含む。第２の減圧は、実質的に最初の減圧と同じであっても、あるいは、それよりも高いか、低い圧力であってもよい。２つの圧縮性ブラダーが提供される場合、第１圧縮性ブラダーは足の前側部分の下方に位置して、ユーザが前側部分に重量をかけるときに圧縮される。第２圧縮性ブラダーは、足の踵部分の下方に位置して、ユーザが踵部分に重量をかけるときに圧縮される。このように、圧縮性ブラダーはともに、ウォーキング中のユーザの単一のストライドの間に圧縮および膨張する。
【００３３】
本明細書に記載の圧縮性ブラダーがユーザの足の下方に位置している間、その代わりに、圧縮性ブラダーは、体の別の部位またはその他の対象物から力を加えることにより、圧縮することができる。また、２つの圧縮性ブラダーを有する圧縮性ブラダーシステムが図示されているが、単一の圧縮性ブラダーを使用することもでき、あるいは、２を上回る複数の圧縮性ブラダーを使用することもできる。例示的な一実施形態においては、複数の圧縮性ブラダーが使用されるときに、圧縮性ブラダーの各々が流体流通において独立していて、各圧縮性ブラダーが、圧縮性ブラダーの入口および出口に付随する一方向弁またはデバイスを含む。
【００３４】
本明細書に記載の圧力調整器は、圧縮性ブラダーシステムによって供給される圧力を調整または制御する機能を果たすことができる。圧力調整器４６０に関して、圧力調整器は、さらに、正圧が圧力調整器に供給されるときに、組織部位に減圧を提供するために使用することもできる。圧力調整器の使用はある実施形態では好ましいかもしれないが、その他の実施形態では、圧力調整器を省略することができる。個別の圧力調整器を含まないそれら実施形態では、圧縮性ブラダーが、大きさ、形状、および圧縮性ブラダーおよび付勢部材に使用される材料に基づいて、自動調節するように構成することができる。例えば、一実施形態においては、組織部位における減圧および組織部位に至る管路における減圧が増加するとき、圧縮性ブラダーのチャンバ壁または付勢部材の弾性力が、潰れた状態を保つ圧縮性ブラダーの動きに打ち勝つことができる限りは、圧縮性ブラダーが、追加的な減圧を供給し続ける。付勢部材またはチャンバ壁が、組織部位に至る管路における減圧の量が原因で、圧縮の後にもはや膨張することができないときは、圧縮性ブラダーは、もはや追加的な減圧を生成することはないであろう。
【００３５】
顕著な利点を有する発明が提供されているのは上述した記載から明らかである。本発明はその形態のほんの数例が示されているが、それは単なる限定ではなく、本発明の趣旨を逸脱しない範囲で、様々な変更および変形を受け入れる余地がある。
【図１】
2011514832.tif 000003
【図２】
2011514832.tif 000004
【図３Ａ】
2011514832.tif 000005
【図３Ｂ】
2011514832.tif 000006
【図４】
2011514832.tif 000007
【図５】
2011514832.tif 000008
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
減圧治療システムであって、
ユーザの足の下方に配置される圧縮性ブラダーであって、チャンバ壁に実質的に包囲されたチャンバを有するとともに、減圧を生成するために、膨張位置と圧縮位置との間で動作可能な圧縮性ブラダーと、
前記圧縮性ブラダーを前記膨張位置に向けて付勢するために前記チャンバ壁と動作可能に関連する弾性部材と、
前記ユーザの組織部位に配置されて、前記圧縮性ブラダーの前記チャンバと連通するマニホールドとを備えることを特徴とするシステム。
【請求項２】
請求項１に記載のシステムにおいて、前記組織部位からの滲出液を収集するために、前記チャンバと前記マニホールドとの間に流体流通可能に連結されるキャニスタをさらに備えることを特徴とするシステム。
【請求項３】
請求項１に記載のシステムにおいて、前記組織部位に送達される前記減圧を調整するために、前記チャンバと前記マニホールドとの間に流体流通可能に連結される圧力調整器をさらに備えることを特徴とするシステム。
【請求項４】
請求項１に記載のシステムにおいて、前記圧縮性ブラダーが、前記膨張位置に向けて膨張するときに、前記チャンバ内で前記減圧を生成することを特徴とするシステム。
【請求項５】
請求項１に記載のシステムにおいて、前記付勢部材が前記チャンバ内に配置されることを特徴とするシステム。
【請求項６】
請求項１に記載のシステムにおいて、前記付勢部材が連続気泡発泡体であることを特徴とするシステム。
【請求項７】
請求項１に記載のシステムにおいて、前記付勢部材が前記チャンバの外部に配置されることを特徴とするシステム。
【請求項８】
請求項１に記載のシステムにおいて、
前記ユーザの前記足の下方に配置される第２圧縮性ブラダーであって、第２チャンバ壁に実質的に包囲された第２チャンバを有するとともに、第２の減圧を生成するために、膨張位置と圧縮位置との間で動作可能な第２圧縮性ブラダーと、
前記第２圧縮性ブラダーを前記膨張位置に向けて付勢するために前記第２チャンバ壁と動作可能に関連する第２付勢部材とをさらに備え、
前記第２圧縮性ブラダーの前記第２チャンバが前記マニホールドと連通し、
第１圧縮性ブラダーが前記足の前側部分の下方に位置し、前記第２圧縮性ブラダーが前記足の踵部分の下方に位置することを特徴とするシステム。
【請求項９】
減圧治療システムであって、
ユーザの足の下方に配置可能な圧縮性チャンバであって、膨張位置と圧縮位置との間で動作することができ、かつ入口および出口を有する圧縮性チャンバと、
前記圧縮性チャンバ内の流体が前記入口から流出するのを阻止するために、前記入口と連通する入口弁と、
流体が前記出口を通じて前記圧縮性チャンバに流入するのを阻止するために、前記出口と連通する出口弁と、
前記圧縮性チャンバを前記膨張位置に向けて付勢するために前記圧縮性チャンバ内に配置される付勢手段と、
組織部位に配置可能であって、前記圧縮性チャンバの前記入口と連通するマニホールドとを備えることを特徴とするシステム。
【請求項１０】
請求項９に記載のシステムにおいて、前記組織部位からの滲出液を収集するために、前記圧縮性チャンバの前記入口と前記マニホールドとの間に流体流通可能に連結されるキャニスタをさらに備えることを特徴とするシステム。
【請求項１１】
請求項９に記載のシステムにおいて、前記組織部位に送達される減圧を調整するために、前記圧縮性チャンバの前記入口と前記マニホールドとの間に流体流通可能に連結される圧力調整器をさらに備えることを特徴とするシステム。
【請求項１２】
請求項９に記載のシステムにおいて、前記圧縮性チャンバがブラダーであることを特徴とするシステム。
【請求項１３】
請求項９に記載のシステムにおいて、前記圧縮性チャンバが、前記膨張位置に向けて膨張するときに、減圧を生成することを特徴とするシステム。
【請求項１４】
請求項９に記載のシステムにおいて、前記付勢部材が連続気泡発泡体であることを特徴とするシステム。
【請求項１５】
請求項９に記載のシステムにおいて、
前記ユーザの前記足の下方に配置可能な第２圧縮性チャンバであって、膨張位置と圧縮位置との間で動作することができ、かつ第２入口および第２出口を有する第２圧縮性チャンバと、
前記第２圧縮性チャンバ内の流体が前記第２入口から流出するのを阻止するために、前記第２入口と連通する第２入口弁と、
流体が前記第２出口を通じて前記第２圧縮性チャンバに流入するのを阻止するために、前記第２出口と連通する第２出口弁と、
前記第２圧縮性チャンバを前記膨張位置に向けて付勢するために前記第２圧縮性チャンバ内に配置される第２付勢手段とをさらに備え、
前記第２圧縮性チャンバが前記マニホールドと連通し、
第１圧縮性チャンバが前記足の前側部分の下方に位置し、前記第２圧縮性チャンバが前記足の踵部分の下方に位置することを特徴とするシステム。
【請求項１６】
減圧治療システムであって、
ユーザの足の下方に配置可能な圧縮性ブラダーであって、チャンバを有するとともに、膨張位置と圧縮位置との間で動作可能な圧縮性ブラダーと、
前記圧縮性ブラダーを前記膨張位置に向けて付勢するために前記チャンバ内に配置される付勢部材と、
第１可変容量キャビティおよび第２可変容量キャビティを有し、前記第１可変容量キャビティが前記圧縮性ブラダーの前記チャンバに流体流通可能に連結される圧力調整器と、
組織部位に配置可能であって、前記圧力調整器の前記第２可変容量キャビティと連通するマニホールドとを備えることを特徴とするシステム。
【請求項１７】
請求項１６に記載のシステムにおいて、前記第１可変容量キャビティが、前記チャンバから正に加圧された空気を受け取ったときに、膨張するように構成されていることを特徴とするシステム。
【請求項１８】
請求項１６に記載のシステムにおいて、前記第１可変容量キャビティが膨張したときに、前記第２可変容量キャビティが膨張して減圧を生成するように構成されていることを特徴とするシステム。
【請求項１９】
請求項１６に記載のシステムにおいて、前記第１可変容量キャビティが、前記チャンバから正に加圧された空気を受け取ったときに、膨張するように構成されるとともに、前記第１可変容量キャビティが膨張したときに、前記第２可変容量キャビティが膨張して減圧を生成するように構成されていることを特徴とするシステム。
【請求項２０】
請求項１６に記載のシステムにおいて、前記圧力調整器が蛇腹装置を含むことを特徴とするシステム。
【請求項２１】
請求項１６に記載のシステムにおいて、前記チャンバが入口および出口を含み、前記システムがさらに、前記チャンバから流出する流体が前記入口を通過するのを阻止するために、前記入口と連通する入口弁と、流体が前記出口を通じて前記チャンバに流入するのを阻止するために、前記出口と連通する出口弁とを備えることを特徴とするシステム。
【請求項２２】
請求項１６に記載のシステムにおいて、前記組織部位からの滲出液を収集するために、前記第２可変容量キャビティと前記マニホールドとの間に流体流通可能に連結されるキャニスタをさらに備えることを特徴とするシステム。
【請求項２３】
請求項１６に記載のシステムにおいて、前記付勢部材が連続気泡発泡体であることを特徴とするシステム。
【請求項２４】
請求項１６に記載のシステムにおいて、
前記ユーザの前記足の下方に配置可能な第２圧縮性ブラダーであって、第２チャンバを有するとともに、膨張位置と圧縮位置との間で可動な第２圧縮性ブラダーと、
前記第２圧縮性ブラダーを前記膨張位置に向けて付勢するために前記第２チャンバ内に配置される第２付勢部材とをさらに備え、
前記第２圧縮性ブラダーの前記第２チャンバが前記第１可変容量キャビティと連通し、
第１圧縮性ブラダーが前記足の前側部分の下方に位置し、前記第２圧縮性ブラダーが前記足の踵部分の下方に位置することを特徴とするシステム。
【国際調査報告】
2011514832.tif 000009
2011514832.tif 000010
2011514832.tif 000011
2011514832.tif 000012